(57)【要約】【課題】  ショートが発生しないようにすること。【解決手段】  平行ジャンパー８の両端から突出する多数のピン１３ａ〜１３ｊを各ピン孔列１５Ａ，１５Ｂのピン孔１５ａ〜１５ｊに差し込み、その平行ジャンパー８付き両基板４，６をディップ槽内の半田液区域を半田方向Ｂに沿って通過させることにより、該両基板４，６の各ランド１６ａ〜１６ｊと各ピン１３ａ〜１３ｊとの間に半田液を付着させるようになっており、半田方向Ｂに沿って最後端側の各ランド１６ａに略三角形の延長ランド１６Ａが半田方向Ｂの後側に向かって一体延設され、前記各ピン孔列１５Ａ，１５Ｂの半田方向Ｂに沿って最後端側ピン孔１５ａとその隣接ピン孔１５ｂとの間の間隔ａ＋ｂが他のピン孔間の間隔ａよりも広く設定されており、その最後端側ピン孔１５ａに挿通した最後端側ピン１３ａを半田方向Ｂに沿って後側に傾斜させるようにした。【選択図】        図１
0003115115.tif 000002
【実用新案登録請求の範囲】
【請求項１】
ＡＶ基板とそのＡＶ基板に分離可能に一体形成した電源基板用接続基板とからなる一対
の基板どうしを平行ジャンパーで接続するようにしたディスク装置であって、前記平行ジ
ャンパーの両端から等間隔をおいて突出する多数のピンの中央部を略く字状に折り曲げて
抜け止め部が形成され、その各ピンに対応して前記各基板にそれぞれ多数のピン孔を貫設
することにより互いに平行する一対の直線状ピン孔列が形成され、前記各基板の下面の各
ピン孔の周縁に円形ランドが形成されており、前記平行ジャンパーの両端から突出する多
数のピンを前記各ピン孔列のピン孔に差し込み、その平行ジャンパー付き両基板をディッ
プ槽内の半田液区域を半田方向に沿って通過させことにより、各ランドと各ピンとの間に
半田液を付着させるようにした平行ジャンパー接続構造において、半田方向に沿って最後
端側の各ランドに略三角形の延長ランドが半田方向の後側に向かって一体延設され、前記
各ピン孔列の半田方向に沿って最後端側ピン孔とその隣接ピン孔との間の間隔が他のピン
孔間の間隔よりも広く設定され、その各最後端側ピン孔が半田方向の後側に延びて長円形
に形成され、前記平行ジャンパーの両端から突出する各ピンのうち、最後端側ピンに前記
抜止部を施さずに直線状態のままで残すことにより、該各最後端側ピンの先端が他のピン
の先端よりも所定間隔だけ長く突出されており、その各最後端側ピンの先端を各最後端側
ピン孔に差し込み、平行ジャンパーを半田方向に移動させることにより、各最後端側ピン
を半田方向に沿って後側に傾斜させると共に、それ以外の各ピンを各ピン孔に対向させ、
平行ジャンパーの両端を両基板側に押し出して各最後端側ピン以外の各ピンを対向する各
ピン孔に差し込むことを特徴とする平行ジャンパー接続構造。
【請求項２】
一対の基板どうしを平行ジャンパーで接続するようにした電子機器であって、前記平行
ジャンパーの両端から等間隔をおいて突出する多数のピンに対応して前記各基板にそれぞ
れ多数のピン孔を貫設することにより互いに平行する一対の直線状ピン孔列が形成され、
各基板の下面の各ピン孔の周縁に円形ランドが形成されており、前記平行ジャンパーの両
端から突出する多数のピンを前記各ピン孔列のピン孔に差し込み、その平行ジャンパー付
き両基板をディップ槽内の半田液区域を半田方向に沿って通過させることにより、該両基
板の各ランドと各ピンとの間に半田液を付着させるようにした平行ジャンパー接続構造に
おいて、半田方向に沿って最後端側の各ランドに略三角形の延長ランドが半田方向の後側
に向かって一体延設され、前記各ピン孔列の半田方向に沿って最後端側ピン孔とその隣接
ピン孔との間の間隔が他のピン孔間の間隔よりも広く設定されており、その最後端側ピン
孔に挿通した最後端側ピンを半田方向に沿って後側に傾斜させるようにしたことを特徴と
する平行ジャンパー接続構造。
【請求項３】
前記各最後端側ピン孔が半田方向に沿って後側に延びて長円形に形成されていることを
特徴とする請求項２に記載の平行ジャンパー接続構造。
【請求項４】
前記平行ジャンパーの両端から突出する各ピンのうち、最後端側ピンの先端が他のピン
の先端よりも所定間隔だけ長く突出されており、該各最後端側ピンの先端を各ピン孔列の
最後端側ピン孔に差し込み、平行ジャンパーを半田方向に移動させることにより、各最後
端側ピンを半田方向に沿って後側に傾斜させると共に、それ以外の各ピンを各ピン孔に対
向させ、平行ジャンパーの両端を両基板側に押し出して各最後端側ピン以外の各ピンを対
向する各ピン孔に差し込むことを特徴とする請求項２または３に記載の平行ジャンパー接
続構造。
【考案の詳細な説明】
【技術分野】
【０００１】
本考案は、例えばディスク装置（ＤＶＤプレーヤ、ＤＶＤレコーダ、ビデオ装置一体型
ＤＶＤ）などの電子機器に使用される一対のプリント基板（以下、基板と略称する）どう
しを平行ジャンパーで接続する平行ジャンパー接続構造に関し、特にショートが生じない
ようにしたものである。
【背景技術】
【０００２】
ディスク装置の一例として図６に示すものがある。これは、ビデオ装置一体型ＤＶＤで
あって、筐体１内の前方に、ディスクＤの再生などを行うためのＤＶＤプレーヤ（または
ＤＶＤレコーダ）２と、テープカセットＴの再生などを行うためのビデオ装置３とが配置
され、筐体１内の後方にＡＶ基板４と電源基板５とが配置され、接続基板６がコネクタ７
により電源基板５に接続されると共に、その接続基板６とＡＶ基板４とが平行ジャンパー
８により接続されている。
【０００３】
前記接続基板６は、図７に示すように、ＡＶ基板４に切れ目９間のつなぎ部１０を介し
て分離可能に一体形成されており、そのつなぎ部１０を分断することにより、ＡＶ基板４
から分離される。
【０００４】
前記平行ジャンパー８は、図７（ａ）及び図８に示すように、絶縁樹脂製皮膜１２内に
多数の導線を平行に配線したものであって、その平行ジャンパー８の両端から各導線につ
ながる多数（この例では１０本）のピン１３ａ〜１３ｊが等間隔ａで突出され、該各ピン
１３ａ〜１３ｊの中央部を略く字状に折り曲げて抜止部１４が形成されている。
【０００５】
図７（ａ）及び図８に示すように、前記各ピン１３ａ〜１３ｊに対応して前記各基板４
，６にそれぞれ多数（この例では１０本）のピン孔１５ａ〜１５ｊを等間隔ａをおいて貫
設することにより互いに平行する一対の直線状ピン孔列１５Ａ，１５Ｂが形成され、各基
板４，６の下面の各ピン孔１５ａ〜１５ｊの周縁に円形ランド１６ａ〜１６ｊが形成され
ている。
【０００６】
従来、平行ジャンパー８の接続手順については、特許文献１などに記載したものがあり
、その一例を説明すると、図７（ａ）に示すように、略Ｕ字状に弯曲させた平行ジャンパ
ーを指部で把持し、手差しで各ピン１３ａ〜１３ｊを各ピン孔列１５Ａ，１５Ｂのピン孔
１５ａ〜１５ｊに差し込む〔図７（ｂ）〕。
【０００７】
続いて、図９に示すように、平行ジャンパー８付き両基板４，６をディップ槽１８内の
上手位置（１８ａ）から半田液区域（１８ｂ）を半田方向Ｂに沿って通過させることによ
り、上方に向かって噴流する半田液１９に両基板４，６の下面を漬け、該両基板４，６の
各ランド１６ａ〜１６ｊと各ピン１３ａ〜１３ｊとの間に半田液１９が付着される〔図１
０（ａ）参照〕。
【０００８】
その後、平行ジャンパー８付き両基板４，６が半田液区域（１８ｂ）を通過して下手位
置（１８ｃ）まで来ると、半田液１９が液切りされて、各ランド１６ａ〜１６ｊと各ピン
孔１５ａ〜１５ｊとの間に少量の半田液１９だけが残留し、その残留半田液１９に対して
各ピン１３ａ〜１３ｊ向けて表面張力による逆向きの表面張力Ｆがかかることにより、図
１０（ｂ）に示すように、各ランド１６ａ〜１６ｊ間で半田液１９が切り離されて空隙ｃ
が形成され、その空隙ｃにより切り離された半田液１９が各ピン１３ａ〜１３ｊを中心に
固化され、その固化半田１９ａを介して各ピン１３ａ〜１３ｊが互いに独立して各ランド
１６ａ〜１６ｊに接続される。
【０００９】
上記のように平行ジャンパー８付き両基板４，６が半田液区域（１８ｂ）を半田方向Ｂ
に沿って通過することから、その半田方向Ｂの最後端側ピン１３ａと最後端側ランド１６
ａとの間に残留する半田液１９が少なくなる。そこで、図８（ｂ）に示すように、最後端
側ランド１６ａに略三角形の延長ランド１６Ａが半田方向Ｂに沿って後側に向かって一体
延設されており、これによって、その延長ランド１６Ａ付きランド１６ａとピン１３ａと
の間に半田液１９が適量残留されるようにしている。
【特許文献１】特開平８−１２５３２３号公報
【考案の開示】
【考案が解決しようとする課題】
【００１０】
上記構成では、延長ランド１６Ａ上に残留した半田液１９が最後端側ピン１３ａ回りで
隣接ピン１３ｂ側に引っ張られて移行しやすく、その移行した半田液１９が隣接ランド１
６ｂに到達してブリッジ部１９ｂ〔図１０（ｂ）参照〕となり、最後端側ランド１６ａ上
の固化半田１９ａと隣接ランド１６ｂ上の固化半田１９ａとがつながれ、ショートが生じ
るおそれがあり、特に、図１０（ｂ）に仮想線で示すように、最後端側ピン１３ａがピン
孔１５ａに差し込む際に折り曲げられて隣接ピン１３ｂ側に近づくように傾斜されると、
ブリッジ部１９ｂが一層生じやすくなって、ショートが発生する可能性が高くなる。
【００１１】
本考案は、上記従来の欠点に鑑み、ショートが発生しないようにした平行ジャンパー接
続構造を提供することを目的としている。
【課題を解決するための手段】
【００１２】
上記目的を達成するため、請求項１に記載の考案は、ＡＶ基板とそのＡＶ基板に分離可
能に一体形成した電源基板用接続基板とからなる一対の基板どうしを平行ジャンパーで接
続するようにしたディスク装置であって、前記平行ジャンパーの両端から等間隔をおいて
突出する多数のピンの中央部を略く字状に折り曲げて抜け止め部が形成され、その各ピン
に対応して前記各基板にそれぞれ多数のピン孔を貫設することにより互いに平行する一対
の直線状ピン孔列が形成され、前記各基板の下面の各ピン孔の周縁に円形ランドが形成さ
れており、前記平行ジャンパーの両端から突出する多数のピンを前記各ピン孔列のピン孔
に差し込み、その平行ジャンパー付き両基板をディップ槽内の半田液区域を半田方向に沿
って通過させことにより、各ランドと各ピンとの間に半田液を付着させるようにした平行
ジャンパー接続構造において、半田方向に沿って最後端側の各ランドに略三角形の延長ラ
ンドが半田方向の後側に向かって一体延設され、前記各ピン孔列の半田方向に沿って最後
端側ピン孔とその隣接ピン孔との間の間隔が他のピン孔間の間隔よりも広く設定され、そ
の各最後端側ピン孔が半田方向の後側に延びて長円形に形成され、前記平行ジャンパーの
両端から突出する各ピンのうち、最後端側ピンに前記抜止部を施さずに直線状態のままで
残すことにより、該各最後端側ピンの先端が他のピンの先端よりも所定間隔だけ長く突出
されており、その各最後端側ピンの先端を各最後端側ピン孔に差し込み、平行ジャンパー
を半田方向に移動させることにより、各最後端側ピンを半田方向に沿って後側に傾斜させ
ると共に、それ以外の各ピンを各ピン孔に対向させ、平行ジャンパーの両端を両基板側に
押し出して各最後端側ピン以外の各ピンを対向する各ピン孔に差し込むことを特徴として
いる。
【００１３】
請求項２に記載の考案は、一対の基板どうしを平行ジャンパーで接続するようにした電
子機器であって、前記平行ジャンパーの両端から等間隔をおいて突出する多数のピンに対
応して前記各基板にそれぞれ多数のピン孔を貫設することにより互いに平行する一対の直
線状ピン孔列が形成され、各基板の下面の各ピン孔の周縁に円形ランドが形成されており
、前記平行ジャンパーの両端から突出する多数のピンを前記各ピン孔列のピン孔に差し込
み、その平行ジャンパー付き両基板をディップ槽内の半田液区域を半田方向に沿って通過
させることにより、該両基板の各ランドと各ピンとの間に半田液を付着させるようにした
平行ジャンパー接続構造において、半田方向に沿って最後端側の各ランドに略三角形の延
長ランドが半田方向の後側に向かって一体延設され、前記各ピン孔列の半田方向に沿って
最後端側ピン孔とその隣接ピン孔との間の間隔が他のピン孔間の間隔よりも広く設定され
ており、その最後端側ピン孔に挿通した最後端側ピンを半田方向に沿って後側に傾斜させ
るようにしたことを特徴としている。
【００１４】
請求項３に記載の考案は、請求項２に記載の考案において、前記各最後端側ピン孔が半
田方向に沿って後側に延びて長円形に形成されていることを特徴としている。
【００１５】
請求項４に記載の考案は、請求項２または３に記載の考案において、前記平行ジャンパ
ーの両端から突出する各ピンのうち、最後端側ピンの先端が他のピンの先端よりも所定間
隔だけ長く突出されており、該各最後端側ピンの先端を各ピン孔列の最後端側ピン孔に差
し込み、平行ジャンパーを半田方向に移動させることにより、各最後端側ピンを半田方向
に沿って後側に傾斜させると共に、それ以外の各ピンを各ピン孔に対向させ、平行ジャン
パーの両端を両基板側に押し出して各最後端側ピン以外の各ピンを対向する各ピン孔に差
し込むことを特徴としている。
【考案の効果】
【００１６】
請求項１に記載の考案は第３の実施の形態（図４及び図５参照）に対応するものであっ
て、これによれば、他のピンよりも所定間隔だけ長く突出させた各最後端側ピンの先端を
各最後端側ピン孔に差し込み、平行ジャンパーを半田方向に移動させるだけで、その各最
後端側ピンを半田方向に沿って後側に所望通りに折り曲げて傾斜させることができると共
に、平行ジャンパーの両端を両基板側に押し出すだけで、各最後端側ピン以外の各ピンを
対向する各ピン孔に簡単に差し込むことができ、その差し込み作業を能率良く行うことが
できる。
【００１７】
上記のように最後端側ピンを半田方向の後側に傾斜させることにより、その傾斜した最
後端側ピンと隣接ピンとの間の間隔が広げられるから、延長ランド上に残留する半田液が
最後端側ピン回りで隣接ピン側に引っ張られて移行しても、その移行した半田液が隣接ラ
ンドまで到達することがなく、最後端側ピンと隣接ピンとの間でショートが生じないよう
にすることができる。
【００１８】
また、最後端側ピンを長円形に形成した最後端側ピン孔に差し込むだけで、その最後端
側ピンを半田方向に沿って後側に円滑に折り曲げて所望通りに傾斜させることができる。
【００１９】
ここで重要なことは、最後端側ピンに従来施されていた抜止部を形成せずに直線状のま
まで残しておくだけで、そのピンの先端を他のピンよりも長く突出させることができると
いうことであり、既存の平行ジャンパー８をそのまま利用でき、使い勝手がよい。しかも
、既存の各基板の最後端側ピン孔と隣接ピン孔との間の間隔を若干広くすると共に、その
最後端側ピン孔を長円形にするだけでよく、その変更範囲が極めて小さいから、コストア
ップにほとんどならず、実用的である。
【００２０】
要するに、ＡＶ基板とそのＡＶ基板に分離可能に一体形成した電源基板用接続基板とか
らなる一対の基板どうしを平行ジャンパーでショートしないように安全に接続した使い勝
手のよいディスク装置を提供することができるものである。
【００２１】
請求項２に記載の考案によれば、最後端側ピンを最後端側ピン孔に差し込むと、該最後
端側ピンが半田方向に沿って後側に折り曲げられて傾斜され、その傾斜した最後端側ピン
と隣接ピンとの間の間隔が広げられるから、延長ランド上に残留する半田液が最後端側ピ
ン回りで隣接ピン側に引っ張られて移行しても、その移行した半田液が隣接ランドまで到
達することがなく、最後端側ピンと隣接ピンとの間でショートが生じないようにすること
ができ、安全性が高い。
【００２２】
上記のように最後端側ピンを傾斜させるために、既存の各基板の最後端側ピン孔と隣接
ピン孔との間の間隔を若干広くするだけでよく、その変更範囲が極めて小さいから、コス
トアップにほとんどならず、実用的である。
【００２３】
請求項３に記載の考案によれば、最後端側ピンを長円形に形成した最後端側ピン孔に差
し込むだけで、その最後端側ピンを半田方向に沿って後側に円滑に折り曲げて所望通りに
傾斜させることができる。
【００２４】
請求項４に記載の考案によれば、他のピンよりも所定間隔だけ長く突出させた各最後端
側ピンの先端を各最後端側ピン孔に差し込み、平行ジャンパーを半田方向に移動させるだ
けで、その各最後端側ピンを半田方向に沿って後側に所望通りに折り曲げて傾斜させるこ
とができると共に、平行ジャンパーの両端を両基板側に押し出すだけで、各最後端側ピン
以外の各ピンを対向する各ピン孔に簡単に差し込むことができ、その差し込み作業を能率
良く行うことができる。
【考案を実施するための最良の形態】
【００２５】
図１は本考案の第１の実施の形態である平行ジャンパー接続構造を示すものであって、
平行ジャンパー８の両端から複数（この実施の形態では１０本）のピン１３ａ〜１３ｊが
等間隔ａで突出され、各ピン孔列１５Ａ，１５Ｂの半田方向Ｂに沿って最後端側ピン孔１
５ａと隣接ピン孔１５ｂとの間の間隔ａ＋ｂが他のピン孔１５ｂ〜１５ｊ間の間隔ａより
も広く設定されている。上記以外の構成は図６から図１０に示す構成とほぼ同じであるか
ら、同一部分に同一符号を付してその説明を省略する。
【００２６】
具体寸法の一例を説明すると、ピン１３ａ〜１３ｊ間の間隔ａが２ｍｍ、最後端側ピン
孔１５ａと隣接ピン孔１５ｂとの間の広げ幅ｂが０．２ｍｍであって、その最後端側ピン
孔１５ａと隣接ピン孔１５ｂとの間の間隔ａ＋ｂが２．２ｍｍに設定され、各ピン１３ａ
〜１３ｊの外径ｒが０．５ｍｍ、各ピン孔１５ａ〜１５ｊの内径ｄが０．８ｍｍに設定さ
れている。
【００２７】
平行ジャンパー８の接続手順を説明すると、図２（ａ）に示すように、略Ｕ字状に弯曲
させた平行ジャンパーを指部で把持し、手差しで各ピン１３ａ〜１３ｊを各ピン孔列１５
Ａ，１５Ｂのピン孔１５ａ〜１５ｊに差し込むことにより、最後端側ピン１３ａを最後端
側ピン孔１５ａの上端縁１５Ｃに接触させて所定角度α（例えば１０°）だけ斜め後側に
折り曲げて傾斜させる。
【００２８】
続いて、図９に示すように、平行ジャンパー８付き両基板４，６をディップ槽１８内の
上手位置（１８ａ）から半田液区域（１８ｂ）を半田方向Ｂに沿って通過させることによ
り、上方に向かって噴流する半田液１９に両基板４，６の下面を漬け、両基板４，６の各
ランド１６ａ〜１６ｊと各ピン１３ａ〜１３ｊとの間に半田液１９が付着される〔図２（
ｂ）参照〕。
【００２９】
その後、平行ジャンパー８付き両基板４，６が半田液区域（１８ｂ）を通過して下手位
置（１８ｃ）まで来ると、半田液１９が液切りされて、各ランド１６ａ〜１６ｊと各ピン
孔１５ａ〜１５ｊとの間に少量の半田液１９だけが残留し、その残留半田液１９に対して
各ピン１３ａ〜１３ｊ向けて表面張力による逆向きの表面張力Ｆがかかることにより、図
２（ｃ）に示すように、各ランド１６ａ〜１６ｊ間で半田液１９が切り離されて空隙ｃが
形成され、その空隙ｃにより切り離された半田液１９が各ピン１３ａ〜１３ｊを中心に固
化され、その固化半田１９ａを介して各ピン１３ａ〜１３ｊが互いに独立して各ランド１
６ａ〜１６ｊに接続される。
【００３０】
上記構成によれば、最後端側ピン１３ａを最後端側ピン孔１５ａに差し込むと、該最後
端側ピン１３ａが半田方向Ｂに沿って後側に折り曲げられて傾斜され、その傾斜した最後
端側ピン１３ａと隣接ピン１３ｂとの間の間隔Ｈ〔図２（ｂ）参照〕が広げられるから、
延長ランド１６Ａ上に残留する半田液１９が最後端側ピン１３ａ回りで隣接ピン１３ｂ側
に引っ張られて移行しても、その移行した半田液１９が隣接ランド１６ｂまで到達するこ
とがなく、最後端側ピン１３ａと隣接ピン１３ｂとの間でショートが生じないようにする
ことができ、安全性が高い。
【００３１】
上記のように最後端側ピン１３ａを傾斜させるために、既存の各基板４，６の最後端側
ピン孔１５ａと隣接ピン孔１５ｂとの間の間隔ａ＋ｂを若干広くするだけでよく、その変
更範囲が極めて小さいから、コストアップにほとんどならず、実用的である。
、安全性が高い。
【００３２】
図３は本考案の第２の実施の形態である平行ジャンパー接続構造を示すものであって、
各最後端側ピン孔１５ａが半田方向Ｂに沿って後側に延びて所定幅Ｌ（例えば１．６ｍｍ
）の長円形に形成されている。上記以外の構成は第１の実施の形態（図１及び図２参照）
とほぼ同じであるから、同一部分に同一符号を付してその説明を省略する。
【００３３】
上記構成によれば、最後端側ピン１３ａを長円形に形成した最後端側ピン孔１５ａに差
し込むだけで、その最後端側ピン１３ａを半田方向Ｂに沿って後側に円滑に折り曲げて所
望通りに傾斜させることができる。
【００３４】
図４は本考案の第３の実施の形態である平行ジャンパー接続構造を示すものであって、
各最後端側ピン１３ａに抜止部１４を施さずに直線状態のままで残すことにより、該各最
後端側ピン１３ａの先端が他のピン１３ｂ〜１３ｊの先端よりも所定間隔ｅ（例えば１ｍ
ｍ）だけ長く突出されている。上記以外の構成は第１、第２の実施の形態（図１〜図３参
照）とほぼ同じであるから、同一部分に同一符号を付してその説明を省略する。
【００３５】
平行ジャンパー８の接続手順を説明すると、図５（ａ）に示すように、略Ｕ字状に弯曲
させた平行ジャンパーを指部で把持し、手差しで各最後端側ピン１３ａの先端を各最後端
側ピン孔１５ａに差し込み、図５（ｂ）に示すように、平行ジャンパー８を半田方向Ｂに
移動させることにより、各最後端側ピン１３ａを最後端側ピン孔１５ａの上端縁１５Ｃに
接触させて後側に折り曲げて傾斜させると共に、それ以外の各ピン１３ｂ〜１３ｊを各ピ
ン孔１５ｂ〜１５ｊに対向させ、図５（ｃ）に示すように、平行ジャンパー８の両端を両
基板４，６側に押し出して各最後端側ピン１３ａ以外の各ピン１３ｂ〜１３ｊを対向する
各ピン孔１５ｂ〜１５ｊに差し込む。
【００３６】
上記構成によれば、第１、第２の実施の形態（図１〜図３参照）とほぼ同じ効果を得る
ことができ、特に、他のピン１３ｂ〜１３ｊよりも所定間隔ｅだけ長く突出させた各最後
端側ピン１３ａの先端を最後端側ピン孔１５ａに差し込み、平行ジャンパー８を半田方向
Ｂに移動させるだけで、その各最後端側ピン１３ａを半田方向Ｂに沿って後側に所望通り
に折り曲げて傾斜させることができると共に、平行ジャンパー８の両端を両基板４，６側
に押し出すだけで、各最後端側ピン１３ａ以外の各ピン１３ｂ〜１３ｊを対向する各ピン
孔１５ｂ〜１５ｊに簡単に差し込むことができ、その差し込み作業を能率良く行うことが
できる。
【００３７】
ここで重要なことは、最後端側ピン１３ａに従来施されていた抜止部１４を形成せずに
直線状のままで残しておくだけで、そのピン１３ａの先端を他のピン１３ｂ〜１３ｊより
も長く突出させることができるということであり、既存の平行ジャンパー８をそのまま利
用でき、使い勝手がよい。
【００３８】
要するに、ＡＶ基板４とそのＡＶ基板４に分離可能に一体形成した電源基板５用接続基
板６とからなる一対の基板４，６どうしを平行ジャンパー８でショートしないように安全
に接続した使い勝手のよいディスク装置を提供することができるものである。
【産業上の利用可能性】
【００３９】
上記実施の形態では、ディスク装置（ＤＶＤプレーヤ、ＤＶＤレコーダ、ビデオ装置一
体型ＤＶＤ）を例にあげて説明したが、これ以外の各種電子機器の平行ジャンパー接続構
造にも適用される。
【図面の簡単な説明】
【００４０】
【図１】（ａ）は本考案の第１の実施の形態である平行ジャンパー接続構造を示す要部の斜視図、（ｂ）は同基板の底面図である。
【図２】（ａ）〜（ｃ）は同接続手順を示す縦断面図である。
【図３】（ａ）は本考案の第２の実施の形態である平行ジャンパー接続構造における基板の底面図、（ｂ）は同縦断面図である。
【図４】（ａ）は本考案の第３の実施の形態である平行ジャンパー接続構造を示す要部の斜視図、（ｂ）は同基板の底面図である。
【図５】（ａ）〜（ｃ）は同接続手順を示す縦断面図である。
【図６】（ａ）はディスク装置の概略水平断面図、（ｂ）はＡ−Ａ矢視図である。
【図７】（ａ）及び（ｂ）は従来の接続手順を示す斜視図である。
【図８】（ａ）は従来例の要部の斜視図、（ｂ）は同基板の底面図である。
【図９】ディップ槽の概略縦断面図である。
【図１０】（ａ）及び（ｂ）は同接続手順を示す縦断面図である。
【符号の説明】
【００４１】
４              ＡＶ基板（基板）
５              電源基板
６              接続基板（基板）
１３ａ〜１３ｊ  ピン
１４            抜止部
１５Ａ，１５Ｂ  ピン孔列
１５ａ〜１５ｊ  ピン孔
１６ａ〜１６ｊ  ランド
１６Ａ          延長ランド
１８            ディップ槽
１８ｂ          半田液区域
１９            半田液
１９ａ          固化半田
Ｂ              半田方向
Ｈ              最後端側ピンと隣接ピンとの間の間隔
【図１】
0003115115.tif 000003
【図２】
0003115115.tif 000004
【図３】
0003115115.tif 000005
【図４】
0003115115.tif 000006
【図５】
0003115115.tif 000007
【図６】
0003115115.tif 000008
【図７】
0003115115.tif 000009
【図８】
0003115115.tif 000010
【図９】
0003115115.tif 000011
【図１０】
0003115115.tif 000012